(57)【要約】【課題】  軽量コンクリートパネルを建築物の布基礎に取付けて、縦壁を形成する場合に、軽量コンクリートパネルの取付けに必要な部品が少なく、施工性を向上させて確実な取付けを可能にする取付け金具及び取付け構造を提供する。【解決手段】  建築物の固定部材にパネルを立設する際にパネルの下端部に取付ける取付け金具であって、断面板状で長孔を有し、布基礎の垂直部にあるアンカー筋がコンクリート部の天端から露出した状態で該アンカー筋の端部を取付け金具の長孔に挿入し定規アングルに固定する。また、布基礎に埋設されたアンカー筋を取付け金具の長孔に挿入し、前記取付け金具が定規アングルに固定され、パネルがロッキング機構を有することを特徴とする基礎部の取付け構造である。【選択図】    図１
2005226367.tif 000002
【特許請求の範囲】
【請求項１】
建築物の固定部材にパネルを立設する際にパネルの下端部に取付ける取付け金具であって、断面板状で長孔を有し、布基礎の垂直部にあるアンカー筋がコンクリート部の天端から露出した状態で該アンカー筋の端部を取付け金具の長孔に挿入し定規アングルに固定することを特徴とする基礎部の取付け金具。
【請求項２】
布基礎に埋設されたアンカー筋を請求項１記載の取付け金具の長孔に挿入し、前記取付け金具が定規アングルに固定され、パネルがロッキング機構を有することを特徴とする基礎部の取付け構造。
【発明の詳細な説明】
【技術分野】
【０００１】
本発明は、軽量気泡コンクリートパネル（ＡＬＣ）を建築物の布基礎や開口フレームに取付けて縦壁を形成する場合に使用する縦壁パネルの取付け金具及び取付け構造に関する。
【背景技術】
【０００２】
従来、軽量気泡コンクリートパネル（ＡＬＣ）等の壁パネルを、建築物の布基礎や躯体に取付けて縦壁パネルを構成するには種々な構造がある。特に、耐震性の構造の一種として、縦壁パネルが下端小口面の中心を支点として、壁面に沿って若干振動可能に取付けられたロッキング構造がある。
【０００３】
図５は、従来例（特開平１０−２６６４３３号公報）の縦壁パネルの取付け構造を示す一部破断斜視図である。
【０００４】
特開平１０−２６６４３３号公報には、軽量コンクリートパネル１を建築物の基礎部に取付け、軽量コンクリートパネル１を構成する工法が記載されている。まず、図５のように布基礎２には、直径９ｍｍで上端部が直角に折り曲げられたアンカー筋３を、約６００ｍｍ間隔で埋設しておくが、このとき、アンカー筋３の折り曲げ部は布基礎２の上面に露出させておく。そして、水糸をフラットバー５の裏面の高さに水平に張り、一対の平行な丸棒部を有するＵ字状のスペーサー金具４（図４も参照）を、一方の丸棒部の最上部が前記水糸に当接する状態で、かつ他方の丸棒部が前記アンカー筋３の折り曲げ部に当接する状態に傾けたまま、該折り曲げ部に溶接する。
【０００５】
そして、すべてのアンカー筋３の折り曲げ部に、スペーサー金具４を固着したら、その上に幅５０ｍｍ、厚さ４ｍｍのフラットバー５を置いてフラットバー５の裏面とスペーサー金具４を溶接すれば、該フラットバー５を布基礎２に取付けることができる。一方、布基礎２上に取付ける軽量コンクリートパネル１の下端小口面中心に、直径２０ｍｍ、深さ８５ｍｍの穴を穿孔しておく。そして軽量コンクリートパネル１の穴に、ベース金具７の鞘部に弾性のあるカバーをかぶせた棒状部（図に示さず）を挿入する。
【０００６】
次に、軽量コンクリートパネル１を布基礎２の上方から吊り込み、下端部のベース金具７を、布基礎２のフラットバー５に載せた状態で、所定位置にパネルを設置して下端部のベース金具７を基礎上のフラットバー５に溶接して固定する。
【特許文献１】特開平１０−２６６４３３
【発明の開示】
【発明が解決しようとする課題】
【０００７】
しかし、前述の方法では、軽量コンクリートパネル１を布基礎２に固定するために、ベース金具７、フラットバー５、スペーサー金具４と部品が多く必要であり、また、それぞれを固定するために折り曲げられたアンカー筋３にスペーサー金具４を溶接し、フラットバー５をスペーサー金具４に溶接し、ベース金具７をフラットバー５に溶接することが必要で、施工性が悪く、確実に固着することが困難であるという問題があった。
【０００８】
したがって、本発明は、軽量コンクリートパネル１を建築物の布基礎２に取付けて、縦壁を形成する場合に、軽量コンクリートパネル１の取付けに必要な部品が少なく、施工性を向上させて確実な取付けを可能にする取付け金具及び取付け構造を提供することを目的とする。
【課題を解決するための手段】
【０００９】
本発明は、図１〜図３に示すように、建築物の固定部材にパネルを立設する際にパネルの下端部に取付ける取付け金具（パネルを支持する支持金具）８であって、断面板状で長孔８ａを有する。この取付け金具８は、布基礎２の垂直部に有するアンカー筋３をコンクリート部の天端から露出させた状態で、該アンカー筋３の端部をその長孔８ａに挿入して該アンカー筋３を溶接して固着し、さらに、定規アングル６に溶接して固定する。
【００１０】
また、本発明は、布基礎２に埋設されたアンカー筋３に取付け金具を挿入して溶接して固定し、取付け金具が定規アングル６に固定され、パネルが取付け金具を支点としてロッキング（揺動）することを可能とする取付けを特徴とする布基礎部の取付け構造とかなる。
【発明の効果】
【００１１】
本発明の軽量コンクリートパネル１取付け構造では、天端に露出したアンカー筋３と取付け金具を溶接して固着することが容易であり、パネルを固定する定規アングル６を取付け金具に溶接固定することも容易である。従来のようにアンカー筋３を打撃して折り曲げる必要がなく、布基礎上２のフラットバー５とスペーサー金具４を溶接する必要がない。
【００１２】
また、取付け金具８が長孔８ａになっているため、アンカー筋３の位置ずれに対して位置調整することが可能であり、定規アングル６の固着も容易である。更に、縦壁パネル１が地震時にロッキングすることも可能であり、耐震性に優れている。取付け金具は簡単な構造で取付け工賃が安価であり、施工性も向上する。
【発明を実施するための最良の形態】
【００１３】
建築物の固定部材に本発明の取付け金具により、アンカー筋３を有する布基礎２やコンクリートからなるコンクリート部の天端に、上層に位置する軽量コンクリートパネル１等のコンクリートを建て込む際、前記アンカー筋３に取付け金具８を挿入し、取付け金具８を定規アングル６に固着する。
【００１４】
軽量気泡コンクリートパネル１の下端部は、布基礎２の上面から所望高さに水平に固着された定規アングル６の水平部に、取付け金具８を介して支持される。軽量気泡コンクリートパネル１の下端小口面の中央部に設置すると、パネルは板状部材の厚さだけ定規アングル６の水平部から浮いている。
【００１５】
この構造では、躯体が地震などで揺動した場合には、軽量気泡コンクリートパネル１は取付け金具８を支点として回動するので、壁面の損傷が防止でき、耐震性が優れている。
【実施例】
【００１６】
以下、本発明の一実施例を図面に基いて説明する。図１は本発明の取付け金具の斜視図であり、図２は図１の取付け金具を使用した軽量コンクリートパネルの取付け構造を説明する斜視図であり、図３は図１の取付け金具を使用した縦壁パネルの取付け構造を説明する縦断面図である。
【００１７】
図１に示す取付け金具８は断面板状で定規アングル６に取着される。中央には、長孔８ａが穿孔されており、この長孔にアンカー筋３が挿入される。
【００１８】
取付け金具８は、断面が板状で、幅５０ｍｍ、長さ１００ｍｍ、厚さ４．５ｍｍであり、９ｍｍ径のアンカー筋３が自由に位置を決められる３０ｍｍ×１０ｍｍの長孔８ａを開ける。
【００１９】
布基礎２に関しては、パネル下端中心部に取付けられた金具が、建築物の布基礎２の上面に水平に固着された定規アングル６に固着され、該パネルの上端中心に取付けられた金具が、躯体に水平に固着された定規アングル６に固着されている。
【００２０】
次に、軽量コンクリートパネル１を基礎の上方から吊り込み、下端部の取付け金具８を基礎上の定規アングル６に載せた状態で、縦壁パネルを所定位置に固定する。
【００２１】
次に、この作業を繰り返して下段縦壁パネルを順次取付けて、すべての下段縦壁パネル１を取付けてから、布基礎２と定規アングル６との間にモルタル９を充填し、このモルタル９の上面と縦壁パネル１の下端部との間や、隣接する縦壁パネルとの目地部には、バックアップ材１０とシーリング材１１を充填すれば、縦壁パネルの取付け作業は完了する。
【図面の簡単な説明】
【００２２】
【図１】本発明の取付け支持金具の斜視図である。
【図２】本発明の取付け金具を使用した縦壁パネルの取付け構造の斜視図である。
【図３】本発明の取付け金具を使用した縦壁パネルの取付け構造の縦断面図である。
【図４】従来の取付け金具（スペーサー金具）の斜視図である。
【図５】従来の取付け金具（スペーサー金具）を使用した縦壁パネルの取付け構造の斜視図である。
【符号の説明】
【００２３】
１      軽量コンクリートパネル
２      布基礎
３      アンカー筋
４      スペーサー金具
５      フラットバー
６      定規アングル
７      ベース金具
８      取付け金具（支持金具）
８ａ    長孔
９      モルタル
１０    バックアップ材
１１    シーリング材
【図１】
2005226367.tif 000003
【図２】
2005226367.tif 000004
【図３】
2005226367.tif 000005
【図４】
2005226367.tif 000006
【図５】
2005226367.tif 000007